(57)【要約】【課題】電子装置の外観を効果的に保護でき、且つ使用に便利である電子装置用保護筐体を提供すること。【解決手段】本考案に係る電子装置用保護筐体は、分離可能に連結される第一筐体及び第二筐体を備え、前記第一筐体には第一固定部が設けられ、前記第二筐体には第一係合部が設けられ、前記第一固定部は、互いに平行する複数の第一固定片を備え、該複数の第一固定片は、前記第一筐体の一端の外面から直線状に延伸し、前記第一係合部は、互いに平行する複数の第一係合片を備え、該複数の第一係合片は、前記第二筐体の一端の外面から直線状に延伸し、前記第一固定部及び前記第一係合部が、各々の第一係合片が隣り合う二つの第一固定片の間に挟持されるように互いに係合して一体に連結することにより、前記第一筐体及び第二筐体からなる閉鎖した枠体構造が形成される。【選択図】図１
0003182478.tif 000002
【実用新案登録請求の範囲】
【請求項１】
分離可能に連結される第一筐体及び第二筐体を備え、前記第一筐体には第一固定部が設けられ、前記第二筐体には第一係合部が設けられ、前記第一固定部は、互いに平行する複数の第一固定片を備え、該複数の第一固定片は、前記第一筐体の一端の外面から直線状に延伸し、前記第一係合部は、互いに平行する複数の第一係合片を備え、該複数の第一係合片は、前記第二筐体の一端の外面から直線状に延伸し、
前記第一固定部及び前記第一係合部が、各々の第一係合片が隣り合う二つの第一固定片の間に挟持されるように互いに係合して一体に連結することにより、前記第一筐体及び第二筐体からなる閉鎖した枠体構造が形成されることを特徴とする電子装置用保護筐体。
【請求項２】
各々の第一固定片には、第一固定孔が設けられ、各々の第一係合片には、第一軸孔が設けられ、互いに位置合わせされた前記第一固定孔及び前記第一軸孔に一つのロック部品を貫通させることで、前記第一固定片及び前記第一係合片を一体的にロックすることを特徴とする請求項１に記載の電子装置用保護筐体。
【請求項３】
前記第一筐体には第二固定部がさらに設けられ、前記第二筐体には第二係合部がさらに設けられ、前記第二固定部は、互いに平行する複数の第二固定片を備え、該複数の第二固定片は、前記第一筐体の他端の外面から直線状に延伸し、前記第二係合部は、互いに平行する複数の第二係合片を備え、該複数の第二係合片は、前記第二筐体の他端の外面から直線状に延伸し、
前記第二固定部及び前記第二係合部が、各々の第二係合片が隣り合う二つの第二固定片の間に挟持されるように互いに係合して一体に連接することを特徴とする請求項１または請求項２に記載の電子装置用保護筐体。
【請求項４】
各々の第二固定片には、第二固定孔が設けられ、各々の第二係合片には、第二軸孔が設けられ、互いに位置合わせされた前記第二固定孔及び前記第二軸孔にもう一つのロック部品を貫通させることで、前記第二固定片及び前記第二係合片を一体的にロックすることを特徴とする請求項３に記載の電子装置用保護筐体。
【請求項５】
前記第一筐体及び前記第二筐体は、それぞれ「Ｌ」字状或いは「コ」字状を呈することを特徴とする請求項１から４の何れか一項に記載の電子装置用保護筐体。
【請求項６】
前記第一筐体及び前記第二筐体の何れか一方には、電源ボタン用貫通開口が設けられ、前記第一筐体及び前記第二筐体の何れか他方には、音量調節ボタン用貫通開口及び接続ポート用貫通開口が設けられていることを特徴とする請求項１から５の何れか一項に記載の電子装置用保護筐体。
【考案の詳細な説明】
【技術分野】
【０００１】
本考案は、電子装置用保護筐体に関し、特に電子装置を容易に装着することができる保護筐体に関するものである。
【背景技術】
【０００２】
現在、携帯電話機やマルチメディアプレヤー等の電子装置は、人々の日常生活で欠くことのできない通信或いは娯楽ツールになる。しかし、電子装置が頻繁に使われると、電子装置の外観が摩損される場合があり、美観を損なう結果となる。
【０００３】
近年、様々な電子装置用の保護ハウジングが市場に出ている。例えば、携帯電話機を収容するための布製の袋がある。しかしながら、袋に入った携帯電話を使用する時に、携帯電話機を袋の中から取り出し、また、使用後は携帯電話機を袋の中に入れるため、頻繁に携帯電話機を出し入れする必要があり、煩わしい。また、他の種類の保護ハウジングとしては、底板が付いた携帯電話機の保護ケースがある。この保護ケースでは、携帯電話機を保護ケースに装着する時に、携帯電話機を一方側から該保護ケースの収容空間に対応させるようにセットした後、外力を加えることにより、携帯電話機を該保護ケースの収容空間内に係合させる。しかし、携帯電話機の側面には、一般的に電源或いは音量調節用の押しボタン等が設けられているため、携帯電話機を該保護ケースの内部に装入する際に、これらのボタンが押圧されて変形する。長期間の使用にわたり、携帯電話機を該保護ケースに対して何度も着脱させると、前記ボタンはいずれ壊れて働かなくなるおそれがある。しかも、このような着脱操作は、面倒で、時間及び力を要する。
【考案の概要】
【考案が解決しようとする課題】
【０００４】
そこで、本考案は上記の問題点を考慮した上で、電子装置の外観を効果的に保護できるし、且つ使用に便利である電子装置用保護筐体を提供することを目的とする。
【課題を解決するための手段】
【０００５】
上記の目的を達成するために、本考案に係る電子装置用保護筐体は、分離可能に連結される第一筐体及び第二筐体を備え、第一筐体には第一固定部が設けられ、第二筐体には第一係合部が設けられ、第一固定部は、互いに平行する複数の第一固定片を備え、該複数の第一固定片は、前記第一筐体の一端の外面から直線状に延伸し、該第一係合部は、互いに平行する複数の第一係合片を備え、該複数の第一係合片は、第二筐体の一端の外面から直線状に延伸し、第一固定部及び第一係合部が、各々の第一係合片が隣り合う二つの第一固定片の間に挟持されるように互いに係合して一体に連結することにより、前記第一筐体及び第二筐体からなる閉鎖した枠体構造が形成される。
【考案の効果】
【０００６】
従来の技術と異なり、本考案の電子装置用保護筐体は、分離可能に一体に連結される第一筐体及び第二筐体を備えるので、電子装置を電子装置用保護筐体内に装入したり電子装置用保護筐体から取り出したりする場合に、第一筐体及び第二筐体を分離させればよい。これにより、従来のように、押圧方式で電子装置を保護ケース内に係合させる必要がなく、電子装置の外観を効果的に保護でき、かつ使用に便利である。
【０００７】
また、第一筐体の第一固定片及び第二固定片は、第一筐体の外周に設けられ、第二筐体の第一係合片及び第二係合片は、第二筐体の外周に設けられているので、電子装置を摩損することがなく、且つアクセサリーを吊るすことができる。
【図面の簡単な説明】
【０００８】
【図１】本考案の実施形態に係る電子装置用保護筐体の分解図である。
【図２】図１に示した電子装置用保護筐体の組立図である。
【考案を実施するための形態】
【０００９】
図１及び図２に示したように、本考案に係る電子装置用保護筐体１００は、電子装置を収納して保持するために用いられる。上記した電子装置としては、例えば携帯電話機、マルチメディアプレヤー或いはダブレットパソコン等を挙げることができる。
【００１０】
前記電子装置用保護筐体１００は、第一筐体１０及び第二筐体３０を備える。第一筐体１０には固定部が設けられ、第二筐体３０には係合部が設けられており、これら固定部及び係合部の係合により、第一筐体１０及び第二筐体３０が一体に連結されて、枠体構造の完全な筐体を形成する。また、上記した係止部と固定部とを分離させることにより、第一筐体１０及び第二筐体３０を電子装置から取り外すことができる。
【００１１】
第一筐体１０は、略反転「Ｌ」字状を呈し、その概略構成としては、第一連接部１２と、弧状に屈曲した角部を介して前記第一連接部１２に連接する第二連接部１４と、を備える。また、第一連接部１２には、電子装置の電源ボタンを露出させるための電源ボタン用貫通開口１２６が設けられている。
【００１２】
第二筐体３０は、略「Ｌ」字状を呈し、その概略構成としては、第三連接部３２と、弧状に屈曲した角部を介して前記第三連接部３２に連接する第四連接部３４と、を備える。第三連接部３２及び第二連接部１４のサイズ（幅及び長さ）は概ね同じであり、第四連接部３４及び第一連接部１２のサイズも概ね同じである。電子装置のボリュームキー及び接続ポートを第二筐体３０から露出させるため、本実施形態において、第三連接部３２には一つの音量調節ボタン用貫通開口３２６が設けられ、第四連接部３４には一つの接続ポート用貫通開口３４６が設けられている。
【００１３】
本実施形態において、第一筐体１０に設けられた固定部には、第一筐体１０の一端に設けられた第一固定部１２０と第一筐体１０の他端に設けられた第二固定部１４０とを備える。第二筐体３０に設けられた係合部には、第二筐体３０の一端に設けられた第一係合部３２０と第二筐体３０の他端に設けられた第二係合部３４０とを備える。第一固定部１２０は第一係合部３２０と互いに係合し、第二固定部１４０は第二係合部３４０と互いに係合する。
【００１４】
より詳細に説明すると、第一固定部１２０は、互いに平行する複数の第一固定片１２２からなり、これら複数の第一固定片１２２は、第一連接部１２の第二連接部１４から遠い側の一端（すなわち、第一連接部１２のうち、第一筐体１０の屈曲角部の反対側の末端）の外面から第一連接部１２の軸線方向に沿って直線状に延伸している。本実施形態において、第一固定部１２０は、三つの第一固定片１２２を含む。各々の第一固定片１２２の末端には、第一固定孔１２４がそれぞれ設けられている。複数の第一固定孔１２４の中心は、ほぼ同一直線上に位置する。第二固定部１４０は、互いに平行する複数の第二固定片１４２からなり、該複数の第二固定片１４２は、第二連接部１４の第一連接部１２から遠い側の一端（すなわち、第二連接部１４のうち、第一筐体１０の屈曲角部の反対側の末端）の外面から第二連接部１４の軸線方向に沿って直線状に延伸している。本実施形態において、第二固定部１４０は、三つの第二固定片１４２を含む。各々の第二固定片１４２の末端には、第二固定孔１４４がそれぞれ設けられている。複数の固定孔１４４の中心は、ほぼ同一直線上に位置する。
【００１５】
また、第一係合部３２０は、互いに平行する複数の第一係合片３２２からなり、該複数の第一係合片３２２は、第三連接部３２の第四連接部３４から遠い側の一端（すなわち、第三連接部３２のうち、第二筐体３０の屈曲角部の反対側の末端）の外面から第三連接部３２の軸線方向に沿って直線状に延伸している。本実施形態において、第一係合部３２０は、二つの第一係合片３２２を含む。各々の第一係合片３２２の末端には、第一軸孔３２４がそれぞれ設けられている。複数の軸孔３２４の中心は、ほぼ同一直線上に位置する。第二係合部３４０は、互いに平行する複数の第二係合片３４２からなり、該複数の第二係合片３４２は、第四連接部３４の第三連接部３２から遠い側の一端（すなわち、第四連接部３４のうち、第二筐体３０の屈曲角部の反対側の末端）の外面から第四連接部３４の軸線方向に沿って直線状に延伸している。本実施形態において、第二係合部３４０は、二つの第二係合片３４２を含む。各々の第二係合片３４２の末端には、第二軸孔３４４がそれぞれ設けられている。複数の第二軸孔３４４の中心は、ほぼ同一直線上に位置する。
【００１６】
第一筐体１０と第二筐体３０とが一体に連結されると、第一連接部１２の末端と第三連接部３２の末端とは、弧状に屈曲した角部を形成するように連接され、第一固定部１２０は、第一係合部３２０と互いに係合する。この際、三つの第一固定片１２２は、二つの第一係合片３２２と交互に配列される。つまり、各々の第一係合片３２２は、隣り合う二つの第一固定片１２２の間に挟持され、且つ三つの第一固定孔１２４は二つの第一軸孔３２４と位置合わせ（孔合わせ）されている。これと同時に、第二連接部１４の末端と第四連接部３４の末端とは、弧状に屈曲した角部を形成するように連接され、第二固定部１４０は、第二係合部３４０と互いに係合する。三つの第二固定片１４２は、二つの第二係合片３４２と交互に配列される。つまり、各々の第二係合片３４２は、隣り合う二つの第二固定片１４２の間に挟持され、且つ三つの第二固定孔１４４は二つの第二軸孔３４４と位置合わせ（孔合わせ）されている。
【００１７】
本実施形態において、第一筐体１０及び第二筐体３０は、二つの固定ボルト５０を介して一体的にロックされる。一つの固定ボルト５０は、第一固定部１２０と第一係合部３２０とを互いにロックする。具体的には、固定ボルト５０は、互いに位置合わせされた三つの第一固定孔１２４及び二つの第一軸孔３２４を貫通して、第一筐体１０と第二筐体３０を一体的にロックする。この固定ボルト５０による第一筐体１０と第二筐体３０とのロック方式は、上記の記載に限定されるものではない。例えば、固定ボルト５０は、雄ネジであり、第一固定孔１２４及び第一軸孔３２４の内面に設けられた雌ねじ山凹溝と互いに螺合するものであってもよい。
【００１８】
もう一つの固定ボルト５０は、第二固定部１４０と第二係合部３４０とを互いにロックする。そのロック方式は、上述した固定ボトル５０と同じであるので、ここで詳しい説明を省略する。
【００１９】
電子装置を本考案の電子装置用保護筐体１００内に装着する場合、該電子装置用保護筐体１００の第一筐体１０と第二筐体３０とを互いに対して分離させた後、第一筐体１０で電子装置の一方側の側壁を貼着するように包囲し、第二筐体３０で電子装置の他方側の側壁を貼着するように包囲する。これと同時に、第二筐体３０の第一係合片３２２と第一筐体１０の第一固定片１２２とを交互に配列されるように噛み合わせ、また、第二筐体３０の第二係合片３４２と第一筐体１０の第二固定片１４２とを交互に配列されるように噛み合わせる。最後に、一つの固定ボルト５０を第一固定孔１２４及び第一軸孔３２４に貫通させることにより、第一固定部１２０と第一係合部３２０とを一体的にロックし、また、もう一つの固定ボルト５０を第二固定孔１４４及び第二軸孔３４４に貫通させることにより、第二固定部１４０と第二係合部３４０とを一体的にロックする。これにより、第一筐体１０及び第二筐体３０は、一体に連結され、且つ電子装置の側面に緊密に貼着されて、電子装置の全周を包んで保護する。
【００２０】
また、二つの第一係合片３２２と三つの第一固定片１２２とが交互に配列され、二つの該第二係合片３４２と三つの該第二固定片１４２とが交互に配列されるため、二つの固定ボルト５０を装入する前に、第一筐体１０及び第二筐体３０を互いに合体させて位置決めすることができる。さらに、後の工程で固定ボルト５０を装着することが容易になる。
【００２１】
電子装置を電子装置用保護筐体１００から取り出す場合、二つの固定ボルト５０のうちの少なくとも一つを回転させて第一筐体１０と第二筐体３０との連結部位から取り外して、第一筐体１０と第二筐体３０との少なくとも一方の端部を互いに分離させれば、電子装置を取り出すことができる。
【００２２】
また、他の実施形態において、第一筐体１０及び第二筐体３０は、他の形状であってもよい。例えば、第一筐体１０及び第二筐体３０は、それぞれ「コ」字状である場合、第一筐体１０の第一固定部１２０と第二固定部１４０は、対称的に設けられ且つ同一直線上に位置する。第二筐体３０の第一係合部３２０と第二係合部３４０も、対称的に設けられ且つ同一直線上に位置し、且つ第一固定部１２０と第二固定部１４０とにそれぞれロックされる。
【００２３】
また、他の実施形態において、第一筐体１０及び第二筐体３０の固定方式は、固定ボルト５０によるロックに限定されるものではなく、他の固定方式を採用してもよい。例えば、第二筐体１０にスロットを設けて、第二筐体３０に嵌入ブロック等を設けて、第一筐体１０と第二筐体３０とを互いに係合させてもよい。
【００２４】
また、他の実施形態において、第一筐体１０の第二固定部１４０と第二筐体３０の第二係合部３４０とを一体に成形して、一つの固定ボルト５０だけで第一固定部１２０と第一係合部３２０とをロックすれば、完全に閉鎖する筐体を形成することができる。
【００２５】
また、他の実施形態において、電子装置の電源ボタンを露出させるための開口を第二筐体の第三連接部３２或いは第四連接部３４に設けてもよく、音量調節ボタン用貫通開口及び接続ポート用貫通開口を第一筐体の第一連接部１２及び第二連接部１４にそれぞれ設けてもよい。
【００２６】
上記の各種の実施形態によると、本考案の電子装置用保護筐体１００は、分離可能に一体的に連結される第一筐体１０及び第二筐体３０を備えるので、電子装置を電子装置用保護筐体１００内に装入したり該電子装置用保護筐体１００から取り出したりする場合に、第一筐体１０と第二筐体３０とを互いに対して分離させればよい。これにより、従来のように、押圧方式で電子装置を保護ケース内に係合させる必要がなく、電子装置の外観を効果的に保護でき、かつ使用に便利である。
【００２７】
また、第一固定片１２２及び第二固定片１４２は、第一筐体１０の外周に設けられ、第一係合片３２２及び第二係合片３４２は、第二筐体３０の外周に設けられているので、電子装置を摩損することがなく、且つアクセサリーを吊るすことができる。
【００２８】
以上、本考案の好適な実施形態について詳細に説明したが、本考案は前記実施形態に限定されるものではなく、本考案の範囲内で種々の変形又は修正が可能であり、該変形又は修正も又、本考案の実用新案登録請求の範囲内に含まれるものであることは、いうまでもない。
【符号の説明】
【００２９】
１０            第一筐体
１２            第一連接部
１４            第二連接部
３０            第二筐体
３２            第三連接部
３４            第四連接部
５０            固定ボルト
１００          電子装置用保護筐体
１２０          第一固定部
１２２          第一固定片
１２４          第一固定孔
１２６          電源ボタン用貫通開口
１４０          第二固定部
１４２          第二固定片
１４４          第二固定孔
３２０          第一係合部
３２２          第一係合片
３２４          第一軸孔
３２６          音量調節ボタン用貫通開口
３４０          第二係合部
３４２          第二係合片
３４４          第二軸孔
３４６          接続ポート用貫通開口
【図１】
0003182478.tif 000003
【図２】
0003182478.tif 000004